(57)【要約】【課題】印画物の真贋判定を精度良く低コストに行う。【解決手段】基材の一方の面に光変色インキがドットマトリクス状に印刷された印画物の真贋判定を行う。操作端末が、真贋判定対象の印画物の識別情報をサーバ装置へ送信する。サーバ装置が、インキ変色光の照射パターンを決定する。検出器が、この照射パターンで印画物にインキ変色光を照射し、光変色インキの第１変色パターンを検出する。サーバ装置が、印画物に印刷されているインキパターンに、この照射パターンでインキ変色光を照射した場合の光変色インキの第２変色パターンを算出し、第１変色パターンと第２変色パターンとを比較し、比較結果に基づいて印画物の真贋を判定する。【選択図】図１
2020082679.tif 000002
【特許請求の範囲】
【請求項１】
基材の一方の面に光変色インキがドットマトリクス状に印刷された印画物の真贋判定システムであって、
複数の印画物の各々について、印画物の識別情報と印刷されている前記光変色インキのインキパターンとが対応付けられた印画物情報と、インキ変色光の複数の照射パターン情報とを格納し、真贋判定対象の印画物に照射するインキ変色光の照射パターンを決定するサーバ装置と、
真贋判定対象の印画物の識別情報を前記サーバ装置へ送信し、前記サーバ装置から、決定した照射パターンを取得する操作端末と、
前記印画物の前記光変色インキに、前記操作端末が前記サーバ装置から取得した照射パターンでインキ変色光を照射し、前記光変色インキの第１変色パターンを検出する検出器と、
を備え、
前記操作端末は、前記第１変色パターンの情報を前記サーバ装置へ送信し、
前記サーバ装置は、前記印画物情報を参照し、前記操作端末から受信した前記識別情報に対応するインキパターンに、決定した照射パターンでインキ変色光を照射した場合の光変色インキの第２変色パターンを算出し、前記操作端末から受信した前記第１変色パターンと、前記第２変色パターンとを比較し、比較結果に基づいて前記印画物の真贋を判定することを特徴とする真贋判定システム。
【請求項２】
前記印画物情報に登録されている複数の印画物のインキパターンは互いに異なることを特徴とする請求項１に記載の真贋判定システム。
【請求項３】
前記印画物情報には、各印画物のセキュリティコードが登録されており、
前記操作端末は、セキュリティコードの入力を受け付け、入力されたセキュリティコードを前記サーバ装置へ送信し、
前記サーバ装置は、前記操作端末から受信したセキュリティコードと、前記印画物情報に登録されているセキュリティコードとを比較することを特徴とする請求項１又は２に記載の真贋判定システム。
【請求項４】
前記サーバ装置は、前記操作端末から受信したセキュリティコードに基づいて、真贋判定対象の印画物に照射するインキ変色光の照射パターンを決定することを特徴とする請求項３に記載の真贋判定システム。
【請求項５】
前記サーバ装置は、前記複数の照射パターン情報から、真贋判定対象の印画物に照射するインキ変色光の照射パターンをランダムに決定することを特徴とする請求項１乃至３のいずれか１項に記載の真贋判定システム。
【請求項６】
前記検出器がインキ変色光を照射する箇所は、前記光変色インキが印刷されていない領域を含むことを特徴とする請求項１乃至５のいずれか１項に記載の真贋判定システム。
【請求項７】
前記印画物には、前記光変色インキを囲むように、前記インキ変色光の照射で色相が変化しない非光変色インキが印刷されており、前記インキ変色光の照射前の前記光変色インキは前記非光変色インキと同色であることを特徴とする請求項１乃至６のいずれか１項に記載の真贋判定システム。
【請求項８】
前記検出器は、マトリクス状に配置された前記インキ変色光を照射する複数の発光素子を有することを特徴とする請求項１乃至７のいずれか１項に記載の真贋判定システム。
【請求項９】
前記光変色インキは所定温度で色相が変化する示温インキであり、前記インキ変色光は赤外光であることを特徴とする請求項１乃至８のいずれか１項に記載の真贋判定システム。
【請求項１０】
前記示温インキは赤外線吸収材料を含むことを特徴とする請求項９に記載の真贋判定システム。
【請求項１１】
基材の一方の面に光変色インキがドットマトリクス状に印刷された印画物の真贋判定方法であって、
操作端末が、真贋判定対象の印画物の識別情報をサーバ装置へ送信する工程と、
前記サーバ装置が、インキ変色光の照射パターンを決定する工程と、
検出器が、前記印画物の前記光変色インキに前記照射パターンでインキ変色光を照射し、前記光変色インキの第１変色パターンを検出する工程と、
前記サーバ装置が、複数の印画物の各々について印画物の識別情報と印刷されている前記光変色インキのインキパターンとが対応付けられた印画物情報を参照し、前記操作端末から受信した前記識別情報に対応するインキパターンに、前記照射パターンでインキ変色光を照射した場合の光変色インキの第２変色パターンを算出し、前記検出器が検出した前記第１変色パターンと、前記第２変色パターンとを比較し、比較結果に基づいて前記印画物の真贋を判定する工程と、
を備える真贋判定方法。
【請求項１２】
基材の一方の面に光変色インキがドットマトリクス状に印刷された印画物の真贋判定に使用される印画物検査装置であって、
真贋判定対象の印画物の識別情報をサーバ装置へ送信し、前記サーバ装置から、インキ変色光の照射パターンを取得する操作端末と、
前記印画物の前記光変色インキに、前記操作端末が前記サーバ装置から取得した照射パターンでインキ変色光を照射し、前記光変色インキの変色パターンを検出する検出器と、
を備え、
前記操作端末は、前記変色パターンの情報を前記サーバ装置へ送信することを特徴とする印画物検査装置。
【発明の詳細な説明】
【技術分野】
【０００１】
本発明は、真贋判定システム、真贋判定方法、及び印画物検査装置に関する。
【背景技術】
【０００２】
金融機関等でＡＴＭ（現金自動預払機）を操作して現金の引き出しを行う際にキャッシュカードが利用される。現在、磁気ストライプをつけて口座番号等の情報を磁気情報で記録したキャッシュカードをＡＴＭに挿入し、４桁の暗証番号を打鍵することで認証を行う方式が広く普及している。
【０００３】
磁気情報はカードリーダ等で容易に読み出したり、書き込んだりすることができる。そのため、真正なキャッシュカードから情報を取り出し、他のカードに記録することで、ＡＴＭから見て真正なカードと見分けのつかない偽造カードを作製し、不正使用するという事案が発生している。
【０００４】
このようなカードの不正使用への対策として、磁気ストライプカードの本体にＩＣチップを搭載し、カード毎に異なる鍵情報をＩＣチップに記録したＩＣチップ内蔵カードが知られている。また、ＩＣチップに指の静脈パターン等の生態認証に用いる情報を記録した生体認証カードを採用している金融機関もある。しかし、ＩＣチップは高価であり、カードの製造にコストがかかるという問題があった。また、ＩＣチップが物理的・電気的に破壊されて故障すると、カードが使用できなくなるという問題があった。
【先行技術文献】
【特許文献】
【０００５】
【特許文献１】特開２００４−２６２０１５号公報
【発明の概要】
【発明が解決しようとする課題】
【０００６】
本発明は、上記従来の実状に鑑みてなされたものであり、印画物の真贋判定を精度良く低コストに行うことができる真贋判定システム及び真贋判定方法を提供することを課題とする。また、本発明は、印画物の検査装置を提供することを課題とする。
【課題を解決するための手段】
【０００７】
本発明による真贋判定システムは、基材の一方の面に光変色インキがドットマトリクス状に印刷された印画物の真贋判定システムであって、複数の印画物の各々について、印画物の識別情報と印刷されている前記光変色インキのインキパターンとが対応付けられた印画物情報と、インキ変色光の複数の照射パターン情報とを格納し、真贋判定対象の印画物に照射するインキ変色光の照射パターンを決定するサーバ装置と、真贋判定対象の印画物の識別情報を前記サーバ装置へ送信し、前記サーバ装置から、決定した照射パターンを取得する操作端末と、前記印画物の前記光変色インキに、前記操作端末が前記サーバ装置から取得した照射パターンでインキ変色光を照射し、前記光変色インキの第１変色パターンを検出する検出器と、を備え、前記操作端末は、前記第１変色パターンの情報を前記サーバ装置へ送信し、前記サーバ装置は、前記印画物情報を参照し、前記操作端末から受信した前記識別情報に対応するインキパターンに、決定した照射パターンでインキ変色光を照射した場合の光変色インキの第２変色パターンを算出し、前記操作端末から受信した前記第１変色パターンと、前記第２変色パターンとを比較し、比較結果に基づいて前記印画物の真贋を判定するものである。
【０００８】
本発明の一態様において、前記印画物情報に登録されている複数の印画物のインキパターンは互いに異なる。
【０００９】
本発明の一態様において、前記印画物情報には、各印画物のセキュリティコードが登録されており、前記操作端末は、セキュリティコードの入力を受け付け、入力されたセキュリティコードを前記サーバ装置へ送信し、前記サーバ装置は、前記操作端末から受信したセキュリティコードと、前記印画物情報に登録されているセキュリティコードとを比較する。
【００１０】
本発明の一態様において、前記サーバ装置は、前記操作端末から受信したセキュリティコードに基づいて、真贋判定対象の印画物に照射するインキ変色光の照射パターンを決定する。
【００１１】
本発明の一態様において、前記サーバ装置は、前記複数の照射パターン情報から、真贋判定対象の印画物に照射するインキ変色光の照射パターンをランダムに決定する。
【００１２】
本発明の一態様において、前記検出器がインキ変色光を照射する箇所は、前記光変色インキが印刷されていない領域を含む。
【００１３】
本発明の一態様において、前記印画物には、前記光変色インキを囲むように、前記インキ変色光の照射で色相が変化しない非光変色インキが印刷されており、前記インキ変色光の照射前の前記光変色インキは前記非光変色インキと同色である。
【００１４】
本発明の一態様において、前記検出器は、マトリクス状に配置された前記インキ変色光を照射する複数の発光素子を有する。
【００１５】
本発明の一態様において、前記光変色インキは所定温度で色相が変化する示温インキであり、前記インキ変色光は赤外光である。
【００１６】
本発明の一態様において、前記示温インキは赤外線吸収材料を含む。
【００１７】
本発明の真贋判定方法は、基材の一方の面に光変色インキがドットマトリクス状に印刷された印画物の真贋判定方法であって、操作端末が、真贋判定対象の印画物の識別情報をサーバ装置へ送信する工程と、前記サーバ装置が、インキ変色光の照射パターンを決定する工程と、検出器が、前記印画物の前記光変色インキに前記照射パターンでインキ変色光を照射し、前記光変色インキの第１変色パターンを検出する工程と、前記サーバ装置が、複数の印画物の各々について印画物の識別情報と印刷されている前記光変色インキのインキパターンとが対応付けられた印画物情報を参照し、前記操作端末から受信した前記識別情報に対応するインキパターンに、前記照射パターンでインキ変色光を照射した場合の光変色インキの第２変色パターンを算出し、前記検出器が検出した前記第１変色パターンと、前記第２変色パターンとを比較し、比較結果に基づいて前記印画物の真贋を判定する工程と、を備えるものである。
【００１８】
本発明の印画物検査装置は、基材の一方の面に光変色インキがドットマトリクス状に印刷された印画物の真贋判定に使用される印画物検査装置であって、真贋判定対象の印画物の識別情報をサーバ装置へ送信し、前記サーバ装置から、インキ変色光の照射パターンを取得する操作端末と、前記印画物の前記光変色インキに、前記操作端末が前記サーバ装置から取得した照射パターンでインキ変色光を照射し、前記光変色インキの変色パターンを検出する検出器と、を備え、前記操作端末は、前記変色パターンの情報を前記サーバ装置へ送信するものである。
【発明の効果】
【００１９】
本発明によれば、印画物の真贋判定を精度良く低コストに行うことができる。
【図面の簡単な説明】
【００２０】
【図１】本発明の実施形態に係るカードの平面図である。
【図２】図１のII-II線断面図である。
【図３】図３ａはインキパターンの例を示す図であり、図３ｂは変色パターンの例を示す図である。
【図４】同実施形態に係る真贋判定システムの概略構成図である。
【図５】変色パターン検出器の概略構成図である。
【図６】操作端末の機能ブロック図である。
【図７】サーバ装置の機能ブロック図である。
【図８】図８ａ〜図８ｃは変色パターンと判定結果の例を示す図である。
【図９】同実施形態に係る真贋判定方法を説明するフローである。
【発明を実施するための形態】
【００２１】
以下、本発明の実施の形態を図面に基づいて説明する。
【００２２】
図１は、本発明の実施形態に係るカード１の平面図であり、図２は図１のII-II線断面図（断面の一部の模式図）である。カード１は、例えばキャッシュカードであり、基材１０の一方の面の所定の領域Ｒに、示温インキ１３及び通常インキ１４を用いたインキパターンＩＰが印刷されている。
【００２３】
基材１０の一方の面には断熱層１２が積層されている。所定領域Ｒでは、断熱層１２上に示温インキ１３及び通常インキ１４が印刷され、また所定領域Ｒ以外では、断熱層１２上に通常インキ１４が印刷され、示温インキ１３及び通常インキ１４を覆うように保護層１５が形成されている。
【００２４】
所定領域Ｒでは、染料や顔料等の色材を含む感熱材料と示温インキを含む感熱材料を中間転写媒体に熱転写後再転写することで、インキパターンＩＰを形成しても良い。所定領域Ｒ以外では、染料や顔料等の色材を含む感熱材料を中間転写媒体に熱転写後再転写することで、文字や画像を形成してもよい。所定領域Ｒと所定領域Ｒ以外の部分とは、別々に形成されてもよいし、同時に形成されてもよい。例えば、所定領域Ｒには、口座番号、カード所有者の氏名や顔画像が形成される。これらの文字や画像は、基材１０のインキパターンＩＰが設けられた面とは反対側の面に形成されていてもよい。
【００２５】
基材１０は、例えば、ポリ塩化ビニル、ポリエステル、ポリカーボネート、ポリアミド、ポリイミド、セルロースジアセテート、セルローストリアセテート、ポリスチレン、アクリル樹脂、ポリプロピレン、ポリエチレン等の合成樹脂を母材としたものである。基材１０にＩＣチップが埋め込まれていてもよい。
【００２６】
断熱層１２は、後述するようにインキパターンＩＰを加熱する際に、基材１０等への伝熱による熱損失を防止するものであり、例えば中空粒子を含む層で形成された多孔質層を用いることができる。断熱層１２は省略し、基材１０上に示温インキ１３及び通常インキ１４を印刷してもよい。
【００２７】
保護層１５は、透明な樹脂材料から構成される。保護層１５の材料としては、例えば、ポリエチレンテレフタレートなどのポリエステル、シクロオレフィン重合体などのポリオレフィン、トリアセチルセルロースなどのセルロース樹脂、或いはアクリル樹脂、ポリカーボネート等を使用できる。
【００２８】
示温インキ１３は、温度によって色相が変わる物質であり、例えば所定温度以下では有色状態であり、所定温度を超えると無色（消色）状態となる。示温インキの特性は材料によって異なり、所定温度以下では第１の色、所定温度を超えると第１の色とは異なる第２の色になるものがある。また、所定温度以下では無色状態、所定温度を超えると有色状態となる示温インキもある。示温インキは、その色変化が温度に対して不可逆のインキもあるが、本実施形態では、色変化が温度に対して可逆なインキを使用する。
【００２９】
示温インキには、ロイコ染料系インキ、液晶系インキ、無機化合物系インキ等を用いることができる。
【００３０】
ロイコ染料系インキとしては、ロイコ染料、顕減色剤、及び溶媒の混合物を使用しインキ化したものが挙げられる。ロイコ染料としては、例えばクリスタルバイオレットラクトンが挙げられる。
【００３１】
液晶系インキとしては、例えばコレステリック型液晶をマイクロカプセルの殻に閉じ込め、それを顔料として使用しインキ化したものが挙げられる。
【００３２】
無機化合物系インキとしては、例えばＨｇ、Ａｇ、Ｃｕ、Ｐｂ等の重金属のヨウ化物、又はそれらの錯塩を顔料として使用しインキ化したものが挙げられる。
【００３３】
通常インキ１４は、温度が変わっても色相が変化しないインキである。
【００３４】
本実施形態では、示温インキ１３をマトリクス状（ドットマトリクス状）に複数箇所に印刷し、領域Ｒ内の示温インキ１３印刷部分以外の部分に、示温インキ１３を取り囲むように通常インキ１４を印刷する。マトリクス状に印刷される示温インキ１３は、一以上の箇所が欠けており、欠損箇所（欠損数、欠損位置）がカード毎に異なる。そのため、インキパターンＩＰは、各カード１に固有のパターンとなる。例えば、インキパターンＩＰは、熱転写方式でオンデマンド印刷する。
【００３５】
図３ａにインキパターンＩＰの一例を示す。この例では、縦４列（Ａ〜Ｄ）、横５列（Ｉ〜Ｖ）のマトリクスのうち、I_B、II-C、III-A、IV_D、V_Bの５箇所が欠け、それ以外の１５箇所に示温インキ１３が印刷されている。なお、格子状の破線は説明の便宜上のものであり、実際のカード１には印刷されていない。
【００３６】
例えば、示温インキ１３は、常温（室温）では通常インキ１４と同色であり、温度Ｔ以上に加熱すると無色（消色）状態に変化する。ここで、同色とは、２色間の差異（距離）である色差ΔＥ＊ａｂが１．６以下であることをいい、０，８以下となっていることが好ましく、０．４以下となっていることがより好ましい。
【００３７】
そのため、示温インキ１３及び通常インキ１４が印刷されたカード１は、温度Ｔ未満では、示温インキ１３が周囲の通常インキ１４と同色になっており、領域Ｒの全体が同一色となり、インキパターンＩＰが視認されない。
【００３８】
本実施形態では、カード所有者からセキュリティコードが入力されると、入力されたセキュリティコードに対応したパターンで領域Ｒを加熱する。領域Ｒの加熱後の示温インキ１３の変色パターン（変色した示温インキ１３の数及び位置）に基づいて、カード１が真正なカードか、又は偽造されたカードであるか、真贋判定を行う。
【００３９】
例えば、図３ｂに示すように、I_B、II-A、IV_C、V_Bの４箇所を加熱する。このうち、I_B、V_Bの２箇所は示温インキ１３が印刷されていないため、II-A、IV_Cの２箇所の示温インキ１３が変色する。インキパターン（示温インキ１３の欠損箇所）が異なる場合、変色する示温インキ１３の数や位置も変わる。このような示温インキ１３の変色パターンに基づいて、カードの真贋判定が行われる。
【００４０】
図４に示すように、カード１の真贋判定を行う真贋判定システム１００は、変色パターン検出器２、操作端末３及びサーバ装置４を備える。操作端末３は、変色パターン検出器２及びサーバ装置４と通信可能に接続されている。
【００４１】
図５に示すように、変色パターン検出器２は、光照射部２Ａと、変色パターン検出部２Ｂと、搬送部２３及び２６とを備える。光照射部２Ａは複数の発光素子２１を有する。発光素子２１は、例えば赤外光を照射する。発光素子２１は、インキパターンＩＰの示温インキ印刷箇所にそれぞれ対応するように、マトリクス状に複数配置されている。例えば、図３ａ、図３ｂに示すように、示温インキが印刷され得る箇所が２０個（＝４×５）ある場合、発光素子２１も２０個（＝４×５）設けられる。
【００４２】
発光素子２１間に遮蔽板２２を設け、インキパターンＩＰの示温インキには、対応する発光素子２１のみから赤外光が照射され、他の発光素子２１からの赤外光が照射されないようにすることが好ましい。
【００４３】
変色パターン検出部２Ｂは、撮影部２４と、可視光源２５とを有する。撮影部２４は例えばＣＣＤカメラである。
【００４４】
搬送部２３及び２６は、ローラや搬送ベルト等を有し、変色パターン検出器２内でカード１を搬送する。
【００４５】
挿入口２０Ａを介して変色パターン検出器２に挿入されたカード１は、搬送部２３により光照射部２Ａへ搬送される。光照射部２Ａが、操作端末３から指示された照射パターンでカード１のインキパターンＩＰに赤外光を照射し、加熱する。赤外光が照射された示温インキ１３は変色する。
【００４６】
光照射部２Ａで赤外光が照射されたカード１は、搬送部２３及び２６により変色パターン検出部２Ｂへ搬送される。撮影部２４は、カード１のインキパターン（赤外光の照射により変色した第１変色パターン）を撮影する。撮影部２４による撮影時に、可視光源２５がカード１を照明する。
【００４７】
撮影後、排出口２０Ｂを介してカード１が排出される。
【００４８】
次に操作端末３について説明する。操作端末３は、表示部、中央処理部（ＣＰＵ）、記憶部等を備えたコンピュータであり、パーソナルコンピュータやタブレット端末等を用いることができる。記憶部は、ハードディスクや半導体メモリ等であり、ＣＰＵが各種の処理を実行するために必要なプログラムやデータ等が記憶している。ＣＰＵが記憶部に記憶されているプログラムを実行することで、図６に示すように、カード情報入力部３１、カード情報送信部３２、照射パターン情報受信部３３、照射制御部３４、変色パターン情報受信部３５、変色パターン情報送信部３６、及び判定結果受信部３７の機能が実現される。
【００４９】
カード情報入力部３１は、カード情報の入力を受け付ける。カード情報は、例えば、口座番号やセキュリティコード（暗唱番号）である。例えば、タッチパネルやキーボードを用いてカード情報が入力される。カード１の磁気ストライプから口座番号を読み取ってもよい。
【００５０】
カード情報送信部３２は、入力されたカード情報を、インターネット等のネットワークを介してサーバ装置４へ送信する。
【００５１】
照射パターン情報受信部３３は、サーバ装置４から照射パターン情報を受信する。照射パターン情報は、光照射部２Ａの発光素子２１のうち、どの発光素子２１から赤外光を照射するかを示す。照射パターン情報は、カード情報送信部３２がサーバ装置４へ送信したカード情報に対応したものである。
【００５２】
照射制御部３４は、光照射部２Ａを制御し、照射パターン情報に基づいて赤外光の照射パターンを指示する。
【００５３】
変色パターン情報受信部３５は、変色パターン検出器２から、どの示温インキ１３が変色したかを示す変色パターン情報を受信する。例えば、変色パターン情報として、撮影部２４がカード１を撮影した撮影画像を受信する。
【００５４】
変色パターン情報送信部３６は、カード１の変色パターン情報をサーバ装置４へ送信する。撮影部２４による撮影画像から、変色した示温インキ１３の位置を検出し、検出結果を変色パターン情報としてサーバ装置４へ送信してもよいし、撮影画像そのものをサーバ装置４へ送信してもよい。
【００５５】
判定結果受信部３７は、サーバ装置４から、カード１の真贋判定結果を受信する。受信した判定結果は、液晶ディスプレイ等の表示部に表示される。
【００５６】
次に、サーバ装置４の構成について説明する。図７に示すように、サーバ装置４は、ＣＰＵが各種の処理を実行するために必要なプログラムやデータ等が記憶された記憶部４０を備えるコンピュータである。記憶部４０には、ハードディスクや半導体メモリ等が用いられる。
【００５７】
記憶部４０には、各口座の口座情報が格納されている。口座情報は、口座番号、口座名義人の氏名、設定されているセキュリティコード、発行されているカード１（キャッシュカード）に印刷されているインキパターン等を含む。
【００５８】
また、記憶部４０には、複数の照射パターン情報が格納されている。各照射パターン情報は、定義されている照射パターンが異なる。すなわち、複数の照射パターン情報は、赤外光を照射する発光素子２１の位置や数が互いに異なっている。
【００５９】
記憶部４０には、セキュリティコードと照射パターン情報とを対応付けたテーブルが格納されている。例えば、テーブルには、セキュリティコード“１２３４”が、照射パターン＃１２３４に対応することが記載されている。セキュリティコードが４桁の場合、全セキュリティコードに１対１で対応するように、照射パターン情報を１万通り準備しておいてもよい。あるいはまた、複数のセキュリティコードが１つの照射パターンに対応していてもよい。同じセキュリティコードであっても、カード毎に異なる照射パターン情報が対応付けられていてもよい。
【００６０】
サーバ装置４のＣＰＵが記憶部４０に記憶されているプログラムを実行することで、カード情報受信部４１、照射パターン検索部４２、照射パターン情報送信部４３、変色パターン情報受信部４４、判定部４５及び判定結果送信部４６の機能が実現される。
【００６１】
カード情報受信部４１は、操作端末３からカード情報を受信する。
【００６２】
照射パターン検索部４２は、記憶部４０に格納されているテーブルを参照し、操作端末３から受信したカード情報に含まれるセキュリティコードに対応する照射パターン情報を検索して取り出す。
【００６３】
照射パターン情報送信部４３は、照射パターン検索部４２が取り出した照射パターン情報を操作端末３へ送信する。
【００６４】
変色パターン情報受信部４４は、操作端末３から変色パターン情報を受信する。変色パターン情報が撮影部２４による撮影画像の場合、変色パターン情報受信部４４は、撮影画像から、変色した示温インキ１３の位置を検出する。
【００６５】
判定部４５は、記憶部４０に格納されている口座情報を参照し、操作端末３から受信したカード情報に含まれるセキュリティコードが、口座情報に登録されているセキュリティコードと一致するか否か判定する。
【００６６】
また、判定部４５は、口座情報に登録されているインキパターンと、照射パターン検索部４２が取り出した照射パターン情報とに基づいて、カード１が真正なカードである場合の変色パターン（第２変色パターン）を算出する。判定部４５は、操作端末３から受信した変色パターン（第１変色パターン）と、算出した変色パターンとを比較し、一致する場合はカード１が真正なカードであると判定し、不一致の場合は偽造カードであると判定する。
【００６７】
判定結果送信部４６は、判定部４５による判定結果を操作端末３へ送信する。判定結果は、セキュリティコードの一致／不一致と、カード１の真贋を示すものである。
【００６８】
図９は、カード１の真贋判定方法を説明するフローである。例えば、カード所有者又はオペレータが、操作端末３を操作して、カード１の口座番号を入力して、カード１を変色パターン検出器２に挿入する。また、カード所有者が、操作端末３を操作してセキュリティコードを入力する（ステップＳ１，Ｓ２）。
【００６９】
操作端末３は、入力された口座番号及びセキュリティコードを含むカード情報をサーバ装置４へ送信する（ステップＳ３）。サーバ装置４は、照射パターンを決定し、照射パターン情報を操作端末３へ送信する（ステップＳ４，Ｓ５）。操作端末３は、光照射部２Ａに対し、照射パターンを指示する（ステップＳ６）。光照射部２Ａは、指示された照射パターンでカード１のインキパターンＩＰに赤外光を照射し、加熱する（ステップＳ７）。赤外光の照射後、撮影部２４がカード１のインキパターンを撮影する（ステップＳ８）。操作端末３が撮影画像を取得する（ステップＳ９）
【００７０】
操作端末３は、赤外光の照射に伴う示温インキ１３の変色パターン情報（撮影画像、又は撮影画像から検出した変色した示温インキ１３の位置）をサーバ装置４へ送信する（ステップＳ１０）。
【００７１】
サーバ装置４は、操作端末３から受信したセキュリティコードが、登録されているセキュリティコードと一致するか否か判定する（ステップＳ１１）。また、サーバ装置４は、操作端末３から受信した口座番号に登録されているインキパターンに操作端末３へ送信した照射パターンで赤外光を照射した場合の変色パターンを計算し、計算結果と、操作端末３から受信した変色パターンとを比較して、カード１の真贋を判定する（ステップＳ１２，Ｓ１３）。サーバ装置４が判定結果を操作端末３へ送信すると、操作端末３の表示部に判定結果が表示される（ステップＳ１４，Ｓ１５）。
【００７２】
図８ａは、カード１が真正カードであり、入力したセキュリティコードが一致している場合を示す。正しいセキュリティコードが入力された場合は、I_B、II-A、IV_C、V_Bの４箇所に赤外光を照射して加熱する。I_B、V_Bの２箇所は示温インキ１３が印刷されていないため、II-A、IV_Cの２箇所の示温インキ１３が変色する。
【００７３】
図８ｂは、カード１が真正カードであり、入力したセキュリティコードが誤っている場合を示す。誤入力されたセキュリティコードに対応する照射位置は、I_C、II-A、IV_D、V_Bとする。IV_D、V_Bの２箇所は示温インキ１３が印刷されていないため、I-C、II_Aの２箇所の示温インキ１３が変色する。セキュリティコードが誤っているため、変色パターン検出器２で検出される変色パターンは、図８ａに示す変色パターンとは異なる。しかし、サーバ装置４で算出される変色パターンとは一致するため、カード１は真正カードと判定される。従って、この例では、真正なカードの所有者が、セキュリティコードを誤入力したと推定される。
【００７４】
図８ｃは、カード１が偽造カードであり、入力したセキュリティコードは正しい場合を示す。この偽造カードには、２０箇所全てに示温インキが印刷されているものとする。正しいセキュリティコードが入力されると、I_B、II-A、IV_C、V_Bの４箇所に赤外光を照射して加熱する。変色パターン検出器２で検出される変色パターンは、I_B、II-A、IV_C、V_Bの４箇所の示温インキ１３が変色するものとなる。
【００７５】
一方、サーバ装置４が算出する変色パターンは、図８ａに示すものとなる。従って、変色パターン検出器２で検出される変色パターンと、サーバ装置４で算出される変色パターンとが一致せず、サーバ装置１は、カード１が偽造カードであると判定する。例えば、第三者が、何らかの手段で口座番号やセキュリティコードの情報を取得し、偽造カードを作製して使用した可能性が疑われる。
【００７６】
このように、本実施形態によれば、カード１に印刷されているインキパターンに、入力されたセキュリティコードに対応する照射パターンで赤外光を照射して加熱を行い、示温インキの変色パターンを検出する。カード１に印刷されているインキパターンの情報はサーバ装置４に登録されているため、赤外光の照射パターンから、検出されるべき変色パターンが計算できる。
【００７７】
検出された変色パターンと、計算により求められた変色パターンとが一致した場合は、カード１に正規のインキパターンが印刷されていると考えられるため、真正カードと判定する。一方、検出された変色パターンと、計算により求められた変色パターンとが一致しない場合は、カード１に印刷されているインキパターンが正規のものでないと考えられるため、偽造カードと判定する。
【００７８】
このように、カードに印刷した示温インキの変色パターンを利用することで、カードの真贋判定を精度良く行うことができる。また、ＩＣチップよりもコストを抑えると共に、衝撃、静電気、高温等に対する耐性を高めることができる。
【００７９】
変色パターン検出器２における赤外光の照射や、変色パターンの検出（撮影）は、カード１を所定位置に搬送した後、カード１を固定して行ってもよいし、カード１を所定速度で搬送しながら行ってもよい。また、カード１を固定し、光照射部２Ａ及び変色パターン検出部２Ｂが移動する構成となっていてもよい。
【００８０】
上記実施形態では、変色パターン検出器２内で、光照射部２Ａと変色パターン検出部２Ｂとが別々に設けられる構成について説明したが、赤外光の照射と変色パターンの検出とを同一箇所で行ってもよい。変色パターンは、透過光の変化で検出してもよい。
【００８１】
示温インキは、赤外線吸収材料を含んでいてもよい。赤外線吸収材料を含むことで、光照射部２Ａで赤外光を照射した際に、短時間で示温インキを変色させることができる。
【００８２】
発熱効率を上げるために、レンズ等の光学系で発光素子２１から照射された光を集光するようにしてもよい。
【００８３】
変色温度の異なる複数の示温インキを使用してもよい。この場合、使用した示温インキに応じて、各発光素子２１の照射時間や照射電圧を調整してもよい。
【００８４】
発光素子２１は、ＬＥＤ（発光ダイオード）でもよいし、赤外線レーザ発光素子でもよい。
【００８５】
マトリクス状に印刷されるインキは、光照射により変色する光変色インキであればよく、示温インキ以外に、蛍光インキ等を使用することができる。例えば、紫外線蛍光インキを使用する場合、発光素子２１はインキ変色光として紫外線を照射する。
【００８６】
上記実施形態では、光変色インキを取り囲むように、光照射では変色しない通常インキ（非光変色インキ）を印刷する例について説明したが、通常インキを省略してもよい。
【００８７】
上記実施形態では、検出された変色パターンと、計算された変色パターンとの比較をサーバ装置４で行う構成について説明したが、操作端末３で行ってもよい。例えば、サーバ装置４が、計算した変色パターンを操作端末３へ送信する。操作端末３は、判定結果をサーバ装置４に通知する。
【００８８】
上記実施形態では、セキュリティコードをカード所有者が入力する例について説明したが、セキュリティコードの入力に代えて、指紋認証や虹彩認証等の手段で本人確認を行ってもよい。
【００８９】
上記実施形態では、示温インキ１３を平面視形状が円形となるように印刷する例を図示しているが、円形に限定されず、矩形、三角形等であってもよい。
【００９０】
上記実施形態では、入力されたセキュリティコードに対応する照射パターンでインキパターンに赤外光を照射する例について説明したが、記憶部４０に格納されている複数の照射パターンからランダムに決定してもよい。また、照射パターンで照射後検出された変色パターンと、計算により求められた変色パターンの照合を異なる照射パターンで複数回実施してもよい。
【００９１】
カード１は、キャッシュカードに限定されず、クレジットカード、ＩＤカード等であってもよい。上記実施形態では、示温インキ及び通常インキでインキパターンを印刷したカードについて説明したが、カードに限定されず、インキパターンを印刷できる様々な印画物に適用できる。操作端末３は、口座番号、カード番号、発行番号など、印画物を一意に特定できる識別情報をサーバ装置４へ送信する。サーバ装置４は、識別情報とインキパターンとを対応付けた印画物情報を保存する。
【００９２】
変色パターン検出器２と操作端末３とを含む印画物検査装置がＡＴＭなど１つの機器に内蔵されていてもよい。
【００９３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９４】
１  カード
２  変色パターン検出器
２Ａ  光照射部
２Ｂ  変色パターン検出部
３  操作端末
４  サーバ装置
１０  基材
１２  断熱層
１３  光変色インキ（示温インキ）
１４  通常インキ
１５  保護層
ＩＰ  インキパターン
２１  発光素子
２２  遮蔽板
２４  撮影部
１００  真贋判定システム
【図１】
2020082679.tif 000003
【図２】
2020082679.tif 000004
【図３】
2020082679.tif 000005
【図４】
2020082679.tif 000006
【図５】
2020082679.tif 000007
【図６】
2020082679.tif 000008
【図７】
2020082679.tif 000009
【図８】
2020082679.tif 000010
【図９】
2020082679.tif 000011